(57)【特許請求の範囲】
【請求項１】
操作面と、該操作面の裏側に重ねて面状に配置され、該操作面に設定されている入力部位を光表示する表示部とを備えた操作装置であって、
前記操作面の目的とする入力部位に入力し操作すると検知部で該入力部位に対する操作を検知し、前記表示部が該操作した入力部位周りに位置する入力部位を表示し、操作後の所定時間後に該周りの入力部位の表示を消す一方、実際に操作した入力部位については表示状態に維持することを特徴とするパネル状の操作装置。
【請求項２】
請求項１において、前記入力部位が前記操作面に軸状に配置してあり、前記操作により前記表示部が前記操作した入力部位を含む、該軸状に配置した入力部位の全体を表示し、前記所定時間後に該操作した入力部位についての表示を残す一方、他の入力部位の表示を消すことを特徴とするパネル状の操作装置。
【請求項３】
請求項１，２の何れかにおいて、前記操作装置が水栓の操作装置であり、前記操作面を２次元の座標面となして、使用者から見て左右の横方向の座標軸を温度設定用の軸とし、縦方向の座標軸を流量調節用の軸としてそれぞれ設定してあることを特徴とするパネル状の操作装置。
【請求項４】
請求項１〜３の何れかにおいて、前記操作面がタッチパネルのパネル面であることを特徴とするパネル状の操作装置。
【発明の詳細な説明】
【技術分野】
【０００１】
この発明はパネル状の操作装置に関し、特に操作性を良好とするための技術手段に特徴を有するものに関する。
【背景技術】
【０００２】
従来、湯水混合水栓として単一のレバーハンドルの操作で給水の流量調節と温度調節とを行うシングルレバー水栓が広く用いられている。
このシングルレバー水栓では、レバーハンドルを使用者から見て左右の横方向に回動操作することで給水の温度調節が、また上下の縦方向に操作することで給水の流量調節がなされる。
【０００３】
このシングルレバー水栓は、レバーハンドルの操作１つで給水の流量調節と温度調節とを行うことができ、利便性の高いものであるが、従来のシングルレバー水栓の場合、レバーハンドルを操作する際の操作が重く、また給水が好みの流量，温度となるようにレバーハンドルを目的の位置に持ち来す際の微妙な調整が難しい問題があった。
そこで近年、給水の流量調節，温度調節を電気駆動で行うようになした電子水栓が提案されている。
【０００４】
例えば下記特許文献１にその一例が開示されている。
この電子水栓では、給水の流量調節，温度調節を行うに際して、操作部に対する操作を電気的に検知し、操作信号をコントローラ（制御部）に送ることで所望の流量，温度に調節操作を行うことができ、軽い操作で目的とする調節を行うことが可能である。
【０００５】
ところで、このような電子水栓において給水の流量調節と温度調節とを行うに際し、流量調節のための操作部及び温度調節のための操作部を、それぞれ別々に軸状に１次元配置で設けておき、流量調節を行う場合には１軸に配置した操作部に沿って操作位置を変えることで流量を段階的に変化させ調節し、また温度調節を行う場合には、温度調節用に別に１次元配置した操作部に沿って操作位置を変化させることで温度を段階的に変化させ調節を行うようになすことが考えられる。
しかしながらこの場合、流量調節と温度調節とが別々の操作となって、それぞれを格別に行わなければならず、操作を２回行うことが必要となって操作に面倒を伴うことがある。
【０００６】
そこで操作面を２次元の座標面となし、一方の座標軸を流量調節用の軸として、他方の座標軸を温度調節用の軸としてそれぞれ設定し、操作面の即ち座標面の何れかの入力部位を操作することで、その入力部位の座標値に応じて流量調節と温度調節との２つの調節を同時に行うようになすことが考えられる。
【０００７】
しかしながらこのようにすると、目的とする入力部位に入力し操作しようとしたとき、目的とする入力部位が使用者の指で覆い隠されてしまうため正確な操作が行いづらく、場合によって誤った操作が行われてしまう恐れがある。
こうしたことは操作面に流量調節用の軸と、温度調節用の軸とを２次元配置したときに特に問題となるが、何れか１種類の調節のための操作軸を１軸配置した場合においても同様に生じ得る。
【０００８】
また以上は水栓における流量調節と温度調節のための操作の例であるが、水栓以外の装置の各種調節のための操作を行う場合であっても、操作面に複数の入力部位を設定しておいて、何れかの入力部位を操作する際に同様の問題が生じ得る。
【０００９】
尚、下記特許文献１には「表示入力装置」についての発明が示され、そこにおいて上記と同様の問題点が指摘されている。
但しこの特許文献１に開示のものは解決手段が本発明と異なっており、本発明とは別異のものである。
【００１０】
また下記特許文献２には、「ライトペンによるディスプレイ画面上の座標入力装置」についての発明が示され、そこにおいても上記と同様の問題点の指摘がなされている。
但しこの特許文献２に開示のものも解決手段が本発明と異なっており、本発明とは別異のものである。
【先行技術文献】
【特許文献】
【００１１】
【特許文献１】特開平１０−２８３１１５号公報
【特許文献２】特開昭６２−７３３２３号公報
【発明の概要】
【発明が解決しようとする課題】
【００１２】
本発明は以上のような事情を背景とし、操作面に設定してある入力部位のうち、何れの入力部位を操作したかが分り易く、また操作面をデザイン的にシンプルとなし得る操作装置を提供することを目的としてなされたものである。
【課題を解決するための手段】
【００１３】
而して請求項１のものは、操作面と、該操作面の裏側に重ねて面状に配置され、該操作面に設定されている入力部位を光表示する表示部とを備えた操作装置であって、前記操作面の目的とする入力部位に入力し操作すると検知部で該入力部位に対する操作を検知し、前記表示部が該操作した入力部位周りに位置する入力部位を表示し、操作後の所定時間後に該周りの入力部位の表示を消す一方、実際に操作した入力部位については表示状態に維持することを特徴とする。
【００１４】
請求項２のものは、請求項１において、前記入力部位が前記操作面に軸状に配置してあり、前記操作により前記表示部が前記操作した入力部位を含む、該軸状に配置した入力部位の全体を表示し、前記所定時間後に該操作した入力部位についての表示を残す一方、他の入力部位の表示を消すことを特徴とする。
【００１５】
請求項３のものは、請求項１，２の何れかにおいて、前記操作装置が水栓の操作装置であり、前記操作面を２次元の座標面となして、使用者から見て左右の横方向の座標軸を温度設定用の軸とし、縦方向の座標軸を流量調節用の軸としてそれぞれ設定してあることを特徴とする。
【００１６】
請求項４のものは、請求項１〜３の何れかにおいて、前記操作面がタッチパネルのパネル面であることを特徴とする。
【発明の作用・効果】
【００１７】
以上のように本発明は、操作面の目的とする入力部位に入力し操作すると、検知部が入力部位に対する操作を検知し、表示部が操作した入力部位周りに位置する入力部位を表示し、操作後の所定時間後にその周りの入力部位の表示を消す一方、実際に操作した入力部位については表示状態に維持するようになしたものである。
【００１８】
本発明によれば、実際に操作した入力部位が指で覆い隠されて見えない場合であっても、その周りに位置する入力部位が表示部にて表示されることで、使用者は何れの入力部位を操作したかを直ちに認識することができる。
従ってもしこのとき誤った入力部位を操作したとしても直ちにこれを知ることができるため、正しい入力部位を操作し直すことができる。
これにより誤った入力部位の操作に基づいて誤った調節がされてしまうのを防ぐことができる。
【００１９】
一方、実際に操作した入力部位周りの入力部位に対する表示は所定時間経過すると消えるため、周りの入力部位の表示がその後も長時間続くことによって、操作面がデザイン的に煩雑化してしまうのを防ぐことができ、操作面を常に煩雑感の無いスッキリとした状態に維持することができるとともに、操作時以外は余分な表示が無いため、次に操作を行う際に操作が分り易い利点が得られる。
【００２０】
また実際に操作した入力部位については、その後も表示状態を維持するため、所定時間経過後においても現在どの入力部位が操作されているかを操作面上に明らかにしておくことができ、現在の調節量がどの調節量にあるのかを使用者に認識させることができる。
従って使用者は現在の調節量と操作面上に表示されている入力部位とから、使用者の求める調節量とするために次にどの入力部位を操作すれば良いかを容易に知ることができる。
【００２１】
この場合において操作面に入力部位を軸状に配置しておき、操作した入力部位を含む軸状配置した入力部位の全体を表示するようにし、そして所定時間後に操作した入力部位についての表示を残す一方、他の入力部位の表示を消すようになしておくことができる（請求項２）。
この請求項２によれば、操作した入力部位を含む軸状配置した入力部位の全体が表示されるため、使用者がどの入力部位を操作したのかをより分り易く表すことができる。
【００２２】
請求項３は本発明の操作装置を水栓の操作装置に適用し、そして操作面を２次元の座標面となして、使用者から見て左右の横方向の座標軸を温度設定用の軸とし、縦方向の座標軸を流量調節用の軸としてそれぞれ設定したものである。
【００２３】
上記のようにシングルレバー水栓は使用者にとって身近な水栓として広く使用され慣れ親しんでいるものであり、その操作に関しても使用者に熟知されている。
従って温度調節用の軸を左右の横方向の軸とし、流量調節用の軸を縦方向の軸として設定しておくことで、使用者はシングルレバー水栓を操作するのと同じような感覚で水栓の操作部を操作することができ、操作性を良好となすことができる。
また初めて水栓を使う人にも操作方法が分り易い利点が得られる。
【００２４】
この場合において上記の操作時に操作した入力部位を含む横方向の座標軸の入力部位の全体及び縦方向の座標軸の入力部位の全体を表示し、所定時間後に操作した入力部位以外を除いた各入力部位の表示を消すようになしておくことができる。
このようにすれば、使用者が実際にどの入力部位を操作したのかをより一層分り易くすることができる。
【００２５】
本発明では、タッチパネルにおけるパネル面を操作面となしておくことができる（請求項４）。
この請求項４によれば、操作面を平らにすることができ、掃除がし易い利点が得られる。
【図面の簡単な説明】
【００２６】
【図１】本発明の一実施形態の操作装置を備えた水栓を示す斜視図である。
【図２】図１の水栓の全体の構成を示した図である。
【図３】図１の操作装置を示した図である。
【図４】図３の操作装置の断面構成を示した図である。
【図５】同実施形態の作用説明図である。
【図６】本発明の他の実施形態の図である。
【図７】図２とは異なった水栓の全体構成を示した図である。
【図８】図２及び図７とは異なった水栓の図である。
【図９】図８の水栓の全体構成図である。
【図１０】図８の水栓の操作装置を示した図である。
【発明を実施するための形態】
【００２７】
次に本発明の実施形態を図面に基づいて詳しく説明する。
図１及び図２において、１０は混合水栓（以下単に水栓とする）で、ここでは電気駆動で吐水の流量調節と温度調節とを行う電子水栓として構成してある。
水栓１０は、本体部分が図２に示すようにカウンタ上面等横設された取付面１２から起立する状態で設けられている。
１４は水栓１０における吐水管で、ここでは全体として逆Ｕ字状のグースネック形状をなしており、その先端に吐水口１６が備えられている。
【００２８】
また吐水管１４には、最上位から先端にかけて下向きに下がった形状の先端側部分１４Ａに且つその上面に、原水（水道水）の吐水と止水とを行わせるための吐止水スイッチ１８が設けられている。
吐止水スイッチ１８は非接触式のスイッチ、即ち使用者がそこに手をかざすとこれを検知して動作し、吐水口１６から吐水を行わせ又は吐水を停止させる手かざし式の交互スイッチとして構成してある。
【００２９】
詳しくは、使用者が吐止水スイッチ１８の上方に手かざし操作すると、吐止水スイッチ１８が非接触でこれを検知して吐水口１６から吐水を行わせる。
また吐水状態で使用者が吐止水スイッチ１８の上方に手かざし操作すると、そこで吐水口１６からの吐水を停止（止水）させる。
【００３０】
図１に示しているように、水栓１０はベースプレート２０を有しており、このベースプレート２０を図２の取付面１２に着座させる状態に取り付けられている。
このベースプレート２０には、吐水の流量調節と温度調節とを行うための操作装置２２が設けてある。
【００３１】
図２において、２４は冷水を供給する給水路、２６は熱湯を供給する給湯路で、それぞれの流路上に流量センサ２８，３０が設けられている。
３２は、それら給水路２４，給湯路２６を通じて送られて来た水と湯とを混合し且つその混合比率を調節する混合弁で、弁部３４とその開度調節を行うモータ（ここではステッピングモータ）３６とを有している。
この混合弁３２は、水と湯との混合比率を変化させることで吐水口１６から吐水される混合水の温度を変化させる。
【００３２】
３８は、混合弁３２からの混合水を吐水口１６に導く混合水路で、この混合水路３８上に流量調節弁４０と温度センサ４２とが設けられている。
流量調節弁４０は、モータ（ここではステッピングモータ）４６にて弁部４４の開度（開度ゼロを含む）を変化させ、混合水路３８を通じて吐水口１６に送られる混合水の流量（流量ゼロを含む）を変化させる。即ち吐水口１６からの吐水の流量を変化させる。
【００３３】
４８はコントローラで、このコントローラ４８に対し上記の吐止水スイッチ１８及び操作装置２２が電気的に接続され、更にこのコントローラ４８に対しモータ３６，４６、更に流量センサ２８，３０、温度センサ４２が電気的に接続されている。
【００３４】
この実施形態では、コントローラ４８に入力される吐止水スイッチ１８，操作装置２２，流量センサ２８，３０、温度センサ４２からの信号に基づいて、混合弁３２，流量調節弁４０をコントローラ４８が作動制御する。
詳しくは、吐止水スイッチ１８からの検知信号に基づいて流量調節弁４０を開閉させて、吐水口１６からの吐水と止水とを行わせる。
【００３５】
また操作装置２２からの操作信号に基づいて混合弁３２による水と湯との混合比率を変化させ、即ち混合水温度を変化させ、また流量調節弁４０の開度を変化させて、吐水口１６からの吐水の温度調節と流量調節とを行わせる。
尚その際、コントローラ４８は流量センサ２８，３０、温度センサ４２からの流量検出信号に基づいて、混合弁３２，流量調節弁４０をフィードバック制御する。
【００３６】
図３に、上記の操作装置２２の平面構成が具体的に示してある。
図中２３は操作装置２２における操作部で、ここでは操作部２３はタッチパネルから成っている。
タッチパネルのバネル面は２次元座標面を成しており、一方の座標軸である横方向のＸ軸が吐水（給水）の温度調節を行うための軸として設定してあり、またこれと直交する他方の座標軸である縦方向のＹ軸が吐水の流量を調節するための軸として設定してある。
【００３７】
ここではＸ軸に沿って操作位置を図中左側から右方向に変化させることで吐水の温度が段階的に低く調節され、また逆に図中右側から左方向に操作位置を変化させることで吐水の温度が段階的に高く調節される。
またＹ軸に沿って操作位置を図中下側から上方向に変化させることで吐水の流量が小流量側から大流量側に段階的に調節され、逆にＹ軸に沿って図中上側から下方向に操作位置を変化させることで吐水の流量が大流量側から小流量側に段階的に調節される。
このように設定することで従来のシングルレバー水栓の操作の流量・温度の調整方向と一致し、初めて水栓１０を使う人でも調節し易い。
【００３８】
操作部２３を成すタッチパネルは、パネル面即ち操作面７０（図４参照）がＸ軸とＹ軸とに沿った格子状の区画線にて複数、ここではＸ軸に沿った４つの区画線とＹ軸に沿った４つの区画線からなる格子状の区画線にて、座標１-１〜５-５で表される合計２５の分画域に分画されている。
ここでは分画域のそれぞれが操作面７０（図３参照）に対する操作の入力部位となる。
そしてそれら複数の入力部位の何れかに入力し操作を行うと、その入力部位に対する操作が検知部にて検知される。
【００３９】
操作部２３は、図４に示しているように最表面に可撓性の透明な防水シート７２を有しており、その下側に同じく透明なパネルセンサ（検知部）７４を、更にその下側に操作面７０に設定された上記の分画域即ち入力部位を光表示するための表示部７６を有している。
ここで表示部７６はパネルセンサ７４に重なる状態に面状に配置されている。
【００４０】
パネルセンサ７４は様々なものを用い得るが、ここではパネルセンサ７４として抵抗膜式センサが用いられている。
抵抗膜式センサは、図４（Ｂ）に示しているように透明且つ可撓性を有する一対の導電膜５０-１，５０-２と、それぞれに設けられた電極５２-１，５２-２を有しており、何れかの入力部位をタッチ操作すると、タッチ操作した入力部位において導電膜５０-１が撓み、これによって導電膜５０-１に設けた電極５２-１と、導電膜５０-２に設けた電極５２-２とが接触して導通し、何れかの入力部位がタッチ操作されたことを検知する。
【００４１】
一方表示部７６は、基板７８と基板７８上に設けられ、上記分画域即ち入力部位に対応してその直下の位置に配置されたＬＥＤ（光源）８０と、導電膜５０-２及び基板７８間にＬＥＤ８０のためのスペースを形成し且つ隣接するＬＥＤ８０と８０との間で光を遮断するスペーサ８２とを有している。
【００４２】
この実施形態において、操作部２３は図５（Ｉ）に示すように使用者が何れかの分画域即ち入力部位に入力し操作を行うと、パネルセンサ７４における一方の導電膜５０-１が撓んで、その入力部位に対応する電極５２-１と５２-２とが接触して導通し、その入力部位に対する操作が検知される。その検知信号は操作信号となって図２のコントローラ４８へと送られる。
【００４３】
コントローラ４８は、何れの座標の分画域即ち入力部位から検知信号即ち操作信号が送られたのかを識別し、その入力部位の座標に対応した調節量で吐水の流量調節，温度調節を行うべく流量調節弁４０，混合弁３２を作動させる。
【００４４】
またこれとともに、図５（II）に示しているように操作された入力部位に対応するＬＥＤ８０、及びその入力部位を含む横方向の軸上の入力部位の全体、及び縦方向の軸上の入力部位の全体をそれぞれＬＥＤ８０の点灯によって表示する。
【００４５】
そして入力部位から手を離す動作をした後、所定時間（例えばここでは１．５秒後）経過すると、図５（III）に示しているように実際に操作された入力部位に対応した、即ちその直下に位置するＬＥＤ８０のみを点灯状態に維持し、他のＬＥＤ８０については消灯させる。
即ち実際に操作された入力部位については表示をそのまま残す一方、他の入力部位については表示を消すように動作する。
尚ここでは入力部位から手を離す動作をした後に、所定時間経過すると他のＬＥＤを消灯するとしたが、入力動作をした後の所定時間経過後に消灯させるようにしても良い。
【００４６】
この実施形態では、図３に示す操作面（パネル面）７０に対する操作位置（タッチ位置）を座標１-１の分画域即ち入力部位から１-２の入力部位、更に１-３の入力部位から１-４，１-５の入力部位へと変化させると、これに応じて吐水の流量が小流量から大流量へと段階的に変化して行く。即ち吐水の流量が小流量から大流量へと段階的に調節される。
【００４７】
また操作位置（タッチ位置）を座標１-１の入力部位から座標２-１の入力部位へ、更に座標３-１，４-１，５-１の入力部位に変化させると、これに応じて吐水の温度が高温側から低温側に段階的に変化して行く。即ち吐水温度が高温側から低温側へと段階的に調節される。
そして２５に区画された入力部位の何れかを操作すると、その入力部位の座標に対応した調節量で、吐水の流量と温度との２種類の調節が同時に１回の操作で行われる。
【００４８】
タッチパネルから成る操作部２３の外周側には、流量の大小を表す記号５４Ａ，５４Ｂが、また温度の高低を表す記号５６Ａ，５６Ｂがそれぞれ記してある。
ここで記号５４Ａは流量が大となることを表示するものであり、また記号５４Ｂは流量が小となることを表示するものである。
一方記号５６Ａは温度が高温側となることを表示するものであり、また記号５６Ｂは温度が低温側となることを表示するものである。
【００４９】
更にタッチパネルから成る操作部２３の操作面７０には各入力部位ごとに突起５８が設けてある。
この突起５８は、入力部位を触感で感知させるために設けてある。
記号５４Ａ，５４Ｂ，５６Ａ，５６Ｂについてもまた、突起にて表しておくこともできる（視覚記号と併せて）。
【００５０】
本実施形態では、給水に関する相異なった２種類の調節として給水の流量調節と温度調節のための操作を１回の操作で済ませることができ、操作が簡単となって水栓１０の使い勝手が良好である。
【００５１】
水栓１０において吐水口１６から吐水させる際には、通常吐水の流量調節と温度調節とが必要となる。
この場合においてそれら吐水の流量調節と温度調節とを１つの操作で行えるため、水栓１０使用に際しての操作が極めて簡単となり、所望の吐水状態を速やかに実現することができる。
また本実施形態では何れかの入力部位を操作すると検知部がこれを検知して操作に対応した調節を行うため、軽操作で２種類の調節を簡単に行うことができる。
【００５２】
以上のように本実施形態によれば、実際に操作した入力部位が指で覆い隠されて見えない場合であっても、その周りに位置する入力部位が表示部７６にて表示されることで、使用者は何れの入力部位を操作したかを直ちに認識することができる。
従ってもしこのとき誤った入力部位を操作したとしても直ちにこれを知ることができるため、正しい入力部位を操作し直すことができる。
これにより誤った入力部位の操作に基づいて誤った調節がされてしまうのを防ぐことができるとともに、操作時以外は余分な表示が無いため、以下のような利点及び次に操作を行う際に操作が分り易い等の利点が得られる。
【００５３】
即ち実際に操作した入力部位周りの入力部位に対する表示は所定時間経過すると消えるため、周りの入力部位の表示がその後も長時間続くことによって、操作面７０がデザイン的に煩雑化してしまうのを防ぐことができ、操作面７０を常に煩雑感の無いスッキリとした状態に維持することができる。
【００５４】
また実際に操作した入力部位については、その後も表示状態を維持するため、所定時間経過後においても現在どの入力部位が操作されているかを操作面７０上で明らかにしておくことができ、現在の調節量がどの調節量にあるのかを使用者に認識させることができる。
従って使用者は現在の調節量（調節状況）と操作面７０上に表示されている入力部位とから、使用者の求める調節量とするために次にどの入力部位を操作すれば良いかを容易に知ることができる。
【００５５】
また実施形態では、操作した入力部位を含む横方向及び縦方向の２つの軸に沿って配置した入力部位の全体が表示されるため、使用者がどの入力部位を操作したのかをより分り易く表すことができる。
【００５６】
更に本実施形態の操作装置では操作面７０を２次元の座標面となして、使用者から見て左右の横方向の座標軸を温度設定用の軸とし、縦方向の座標軸を流量調節用の軸としてそれぞれ設定していることから、使用者はシングルレバー水栓を操作するのと同じような感覚で水栓１０の操作部２３を操作することができ、操作性を良好となすことができる。
また初めて水栓１０を使う人にも操作方法が分り易い利点が得られる。
【００５７】
更に本実施形態ではタッチパネルにおけるパネル面を操作面７０となしていることから操作面７０を平らにすることができ、掃除がし易い利点が得られる。
【００５８】
図６は本発明の他の実施形態を示している。
図６（Ａ）は、表示部７６を液晶表示部となした例である。
この場合、例えば図６（Ａ）（ロ）に示しているように流量が多くなる側の入力部位についてはその程度に応じて表示面積を大とし、また温度が高くなる側についてはその程度に応じて発色をより赤味がかった発色としたり或いは発色の濃さを濃くするなど、各入力部位に対する表示を調節量の大小に応じて表示を行うようになすことができる。
【００５９】
一方、図６（Ｂ）はパネルセンサ７４を静電容量式センサとなし、基板７８表面に電極８４を上記の各入力部位に対応して位置するように形成した例である。
尚ここでは表示部７６におけるＬＥＤ８０が共通の基板７８に実装されている。即ちパネルセンサ７４と表示部７６の基板とが共通の基板とされている。
【００６０】
図７は本発明の更に他の実施形態を示している。
この例は、図２における混合弁３２を省略し、給水路２４，給湯路２６のそれぞれに流量調節弁４０を設けている。
この例では、給水路２４上の流量調節弁４０と給湯路２６上の流量調節弁４０とのそれぞれの開度を変化させることで、水と湯との混合比率を変化させ、また混合水路３８を流れる全体の混合水の温度を調節する。
【００６１】
図８〜図１０は、本発明の更に他の実施形態を示している。
図８に示しているように、この例では原水用の吐止水スイッチ１８に加えて浄水用の吐止水スイッチ８６が、原水用の吐止水スイッチ１８と管軸方向に並べて設けてある。
ここで浄水用の吐止水スイッチ８６もまた、非接触式の交互スイッチとして構成してある。
即ち、止水状態でこの吐止水スイッチ８６上に手かざし操作すると、吐止水スイッチ８６がこれを検知して吐水口１６から浄水を吐水させる。
また浄水吐水状態で再び吐止水スイッチ８６上に手かざし操作すると、吐水水スイッチ８６がこれを検知して、浄水の吐水を停止させる。
【００６２】
図９に示しているように、この例では給水路２４から分岐して混合水路３８における流量調節弁４０の下流部に到る浄水路８８が設けてあり、その浄水路８８上に原水（水道水）を通過させてこれを浄化する浄化カートリッジ９０及び流量調節弁４０が設けてある。
浄水路８８上の流量調節弁４０は、浄化カートリッジ９０に供給する原水の流量を増減調節し、吐水口１６からの浄水の吐水量を増減変化させる。
【００６３】
この例では、図１０に示しているように操作部２３に浄水の吐水調節のための操作エリア９２が、原水の吐水調節のための操作エリアと隣接して付設してある。
浄水の操作エリア９２においては、その流量を調節するための分画域即ち入力部位が複数設けてあり、座標６-１〜６-５に向けて入力部位に対する操作位置を変化させて行くと、浄水の吐水流量が段階的に増大変化する。また逆に座標６-５から６-１に向けて入力部位に対する操作位置を変化させて行くと、これに応じて浄水の吐水流量が段階的に減少側に調節される。
【００６４】
この例では、座標６-１〜６-５の何れかの座標の分画域即ち入力部位に入力し、操作を行って浄水の吐水流量を設定しておき、その状態で浄水の吐止水スイッチ８６を手かざし操作すると、予め調節済の流量で吐水口１６から浄水が吐水せしめられる。
また一方、原水用の吐止水スイッチ１８を手かざし操作すると、座標１-１〜５-５の何れかの入力部位に対する操作によって予め調節済の流量で、原水が吐水口１６から吐水せしめられる。
【００６５】
以上本発明の実施形態を詳述したがこれはあくまで一例示であり、本発明においては目的とする入力部位に入力し操作を行ったときに、その目的とする入力部位即ち検知部にて検知された入力部位を取り巻いている入力部位を表示部で表示するようになしたり、或いはその他様々なパターンで実際に操作した入力部位周りに位置している入力部位を表示部にて表示するようになすことも可能である。
また操作部２３を非接触式の操作部となしたり、或いは吐水管を洗面化粧台のカウンタから前方に突出させる状態に設ける一方、操作部を吐水管とは独立して離れた個所、例えば洗面化粧台の縦向きのパネル全面に配置しておくといったことも可能である等、本発明はその趣旨を逸脱しない範囲において種々変更を加えた形態で構成可能である。
【符号の説明】
【００６６】
１０  水栓
２２  操作装置
７０  操作面
７４  パネルセンサ（検知部）
７６  表示部
【図１】
0005485051.tif 000002
【図２】
0005485051.tif 000003
【図３】
0005485051.tif 000004
【図４】
0005485051.tif 000005
【図５】
0005485051.tif 000006
【図６】
0005485051.tif 000007
【図７】
0005485051.tif 000008
【図８】
0005485051.tif 000009
【図９】
0005485051.tif 000010
【図１０】
0005485051.tif 000011